【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
経路に沿ってダンネージ材料を処理するための変換装置であって、
前記ダンネージ材料を切断または引き裂くように構成された端部を有する切断部材と、
前記切断部材に隣接して配置される付勢部材であって、前記付勢部材が前記切断部材の前記端部の周りの経路を偏向させるために前記ダンネージ材料を曲げた状態で前記ダンネージ材料が前記付勢部材と前記切断部材との間を通り、前記ダンネージ材料が前記変換装置内に戻されることに応答して、前記切断部材が前記ダンネージ材料を切断し始める切断位置を有する付勢部材と、
を備える変換装置。
【請求項２】
前記切断部材が前記切断位置にあるとき、それは前記ダンネージ材料を曲げて、前記ダンネージ材料が前記切断部材の周りに曲げられる前記ダンネージ材料の経路内にエルボーを備え、前記ダンネージ材料が供給方向に移動するとき、前記ダンネージ材料における前記エルボーは、前記切断部材から離れる方向に付勢され、逆方向では、前記エルボーは、前記ダンネージ材料の切断を開始するために前記切断部材に向かって付勢される、
請求項１に記載の変換装置。
【請求項３】
前記付勢部材は、前記切断位置と、前記切断部材を通過して前記ダンネージ材料が供給される供給位置との間で移動可能である、
請求項１に記載の変換装置。
【請求項４】
前記切断部材は、その間に凹みとともに隣接する点を有する歯を含み、前記付勢部材は、複数のフィンガを含み、前記複数のフィンガは、互いに向かって配置され、前記切断部材に対しておよび前記切断位置に移動することに応答して、各々のフィンガが前記切断部材の前記歯の隣接する点の間の凹み内に嵌合する、
請求項３に記載の変換装置。
【請求項５】
駆動機構によって回転され、前記ダンネージ材料と接触して前記ダンネージ材料を第１の方向に前進させ、前記ダンネージ材料を第２の方向に装置内で後退させるドラムをさらに備え、前記ドラムは、付勢部材を作動させる付勢連結部を駆動させる、
請求項３に記載の変換装置。
【請求項６】
前記付勢連結部は、前記ダンネージ材料がアクチュエータホイールと前記ドラムとの間に案内されるように前記ドラムに隣接して配置されるアクチュエータホイールを備え、前記アクチュエータホイールは、前記付勢部材と機械的に接続され、前記アクチュエータホイールの回転は前記付勢連結部を駆動させる、
請求項５に記載の変換装置。
【請求項７】
前記付勢連結部は、前記アクチュエータホイールに関連するアクチュエータアームを備え、前記アクチュエータアームは、前記付勢部材の作動と共に回転する、
請求項６に記載の変換装置。
【請求項８】
前記アクチュエータホイールの回転角は、前記アクチュエータホイールが連続的に回転するように動作可能である間に、一回転未満で回転する、
請求項７に記載の変換装置。
【請求項９】
前記アクチュエータアームは、前記アクチュエータアームの回転角を、前記付勢部材の回転角に相当させる前記アクチュエータアームにおける旋回連結部および前記付勢部材における旋回連結部を有するリンク部材を介して前記付勢部材に接続される、
請求項７に記載の変換装置。
【請求項１０】
前記付勢連結部は、前記ダンネージ材料の前記経路の対向する側でそれぞれ動作する、対向するアクチュエータアームと、対向するリンクと、対向する付勢部材とを含む、
請求項５に記載の変換装置。
【請求項１１】
前記アクチュエータアームは、スロットの端部が前記アクチュエータアームの回転角を制限する第１の位置および第２の位置を画定するスロットを含む、
請求項７に記載の変換装置。
【請求項１２】
前記アクチュエータアームは、クラッチ機構を介してアクチュエータホイールに接続されることを特徴とする、
請求項１１に記載の変換装置。
【請求項１３】
前記クラッチ機構は、各端部で前記アクチュエータアームに取り付けられ、前記アクチュエータホイールの周りに９０度以上巻き付くベルトを備える、
請求項１２に記載の変換装置。
【請求項１４】
前記クラッチ機構は、前記アクチュエータアームが前記第１の位置まで伸長すると、前記アクチュエータホイールを前記アクチュエータアームに対して回転させ、前記アクチュエータホイールを前記第１の位置と前記第２の位置との間で前記アクチュエータアームとともに回転させ、前記アクチュエータアームが第２の位置まで伸長すると、アクチュエータホイールをアクチュエータアームに対して回転させる、
請求項１３に記載の変換装置。
【請求項１５】
前記アクチュエータホイールと前記ドラムとが一緒に回転するように接続され、前記ドラムが前記駆動機構によって回転され、前記駆動機構は前記ダンネージ材料を前進させて前記アクチュエータホイールを回転させる、
請求項１４に記載の変換装置。
【請求項１６】
前記付勢部材は、前記切断部材の下流の前記ダンネージ材料に接触するように配置され、前記付勢部材は、逆方向に移動するときに、前記切断部材が前記ダンネージ材料を切断するように、前記切断部材の周りで曲がるように、前記ダンネージ材料の経路を変更する、
請求項１に記載の変換装置。
【請求項１７】
前記ダンネージ材料を、前記変換装置を介して供給する前に、前記ダンネージ材料からダンネージを形成するように構成された変換ステーションをさらに備える、
請求項１に記載の変換装置。
【請求項１８】
前記経路が少なくとも１５°の屈曲を形成するように前記付勢部材が前記切断位置にあるときに、前記付勢部材は、前記経路を偏向させる、
請求項１に記載の変換装置。
【請求項１９】
前記経路が少なくとも４５°の前記屈曲を形成するように前記付勢部材が前記切断位置にあるときに、前記付勢部材は前記経路を偏向させる、
請求項１８に記載の変換装置。
【請求項２０】
前記付勢部材が前記切断位置にあるときに、前記付勢部材が前記切断部材に前記ダンネージ材料を押し付ける、
請求項１に記載の変換装置。
【請求項２１】
前記付勢部材と前記切断部材に接触する前記ダンネージ材料との間に接触はないが、前記付勢部材が前記切断位置にあるときに、前記切断部材の下流の前記付勢部材と前記ダンネージ材料との間に接触がある、
請求項１に記載の変換装置。
【請求項２２】
前記付勢部材は、前記ダンネージ材料が前記変換装置から出ることを可能にするように構成された供給位置と、前記切断部材に前記ダンネージ材料を切断させる切断位置において、前記切断部材の前記端部の周りに前記ダンネージ材料を曲げる前記切断位置との間で切断機構に対して移動可能である、
請求項１に記載の変換装置。
【請求項２３】
前記ダンネージ材料を前記ダンネージ材料が供給される第１の方向および前記ダンネージ材料を前記第１の方向とは反対の第２の方向に前記経路に沿って動かす駆動機構をさらに備え、前記駆動機構が、前記ダンネージ材料を前記第２の方向に移動させることに応答して、前記付勢部材が前記切断位置に移動され、前記ダンネージ材料を前記端部の周りに付勢し、前記駆動機構が前記ダンネージ材料を前記第１の方向に動かすことに応答して、前記付勢部材は前記ダンネージ材料が前記切断部材の前記端部の周りに付勢されないように前記切断部材から離れて前記供給位置に移動される、
請求項２２に記載の変換装置。
【請求項２４】
前記駆動機構によって回転され、前記ダンネージ材料と接触して前記ダンネージ材料を前記第１の方向に前進させ、前記ダンネージ材料を前記変換装置内で前記第２の方向に後退させるドラムをさらに備え、
前記ドラムは前記付勢部材をアクチュエータアームを回転することによって前記付勢部材を作動させる付勢連結部を駆動させ、前記アクチュエータアームは、前記ドラムまたは前記ドラムと対向するピンチホイールの少なくとも一つによって駆動されるアクチュエータホイールと摩擦連結部を介して接続される、
請求項２３に記載の変換装置。
【請求項２５】
前記経路が少なくとも９０°の屈曲を形成するように前記付勢部材が前記切断位置にあるときに、前記付勢部材は前記経路を偏向させる、
請求項１に記載の変換装置。